(57)【特許請求の範囲】
【請求項１】
被調理物を加熱する加熱源と、
該加熱源を収容する函状の本体と、
該本体の正面に設置される人体感知装置と、
音声または光によって報知する報知装置と、
前記人体感知装置の感知する情報に基づき前記報知装置に前記加熱源または前記本体の状態の情報を報知させる制御装置と、を有し、
前記人体感知装置は、
前記本体の正面に設置された装置基板と、
該装置基板に傾動自在に設置された傾動板と、
該傾動板に設置された人体感知センサーと、
該傾動板に傾動自在に設置され、前記人体感知センサーを覆うレンズと、を具備する加熱調理器。
【請求項２】
前記制御装置は、
前記加熱源が前記被調理物を加熱している間において、前記人体感知装置が人体を感知しなくなってから所定時間が経過した後に、前記人体感知装置が人体を感知した際、前記報知装置に加熱中であることを報知させることを特徴とする請求項１記載の加熱調理器。
【請求項３】
前記人体感知装置は、
それぞれが相違する焦点距離を有する複数の前記レンズのうちの何れかが前記傾動板に着脱自在に設置されていることを特徴とする請求項１又は２に記載の加熱調理器。
【請求項４】
被調理物を加熱する加熱源と、
該加熱源を収容する函状の本体と、
該本体の正面に設置され、感知する方向または感知範囲の広がりを変更を拡縮することができる人体感知装置と、
前記本体の正面に設置され、本体感知孔が形成された本体パネルと、
音声または光によって報知する報知装置と、
前記人体感知装置の感知する情報に基づき前記報知装置に前記加熱源または前記本体の状態の情報を報知させる制御装置と、
前記本体感知孔に設置され、前記人体感知装置を覆うことができる赤外線マスクと、を有し、
それぞれが同一直径で相違する位置に形成された赤外線透過孔を有し、複数の前記赤外線マスクのうちの何れかが前記本体感知孔に設置されていることを特徴とする加熱調理器。
【請求項５】
前記本体の正面に設置され、本体感知孔が形成された本体パネルと、
前記本体感知孔に設置され、前記人体感知装置を覆うことができる赤外線マスクと、を有し、
それぞれが相違する直径で同一位置に形成された赤外線透過孔またはそれぞれが同一直径で相違する位置に形成された赤外線透過孔を有する複数の前記赤外線マスクのうちの何れかが前記本体感知孔に設置されていることを特徴とする請求項１〜３の何れか１項に記載の加熱調理器。
【請求項６】
前記本体の正面に設置され、本体感知孔が形成された本体パネルと、
前記本体感知孔に設置され、前記人体感知装置を覆うことができる装置カバーと、を有し、
前記装置カバーは、
それぞれが相違する赤外線吸収能を有する複数の前記装置カバーのうちの何れかが前記本体感知孔に設置されていることを特徴とする請求項１〜３の何れか１項に記載の加熱調理器。
【請求項７】
前記制御装置は、
前記加熱源が前記被調理物を加熱している間において、前記人体感知装置が人体を感知しなくなってから所定時間が経過した後に、前記人体感知装置が人体を感知した際、前記報知装置に加熱中であることを報知させることを特徴とする請求項１〜５の何れか１項に記載の加熱調理器。
【発明の詳細な説明】
【技術分野】
【０００１】
本発明は加熱調理器、特に、人体の近接を感知する人感センサーを具備する加熱調理器に関するものである。
【背景技術】
【０００２】
従来、ユーザー（調理者）が加熱調理器本体から所定時間以上離れた後、再度、加熱調理器本体に近づいたとき、音声出力手段によって実行中の調理内容を報知する加熱調理器が開示されている（例えば、特許文献１参照）。
【先行技術文献】
【特許文献】
【０００３】
【特許文献１】特開２００８−１２８５９８号公報（第４−５頁、図１）
【発明の概要】
【発明が解決しようとする課題】
【０００４】
特許文献１に開示された加熱調理器は、ユーザー（調理者）が加熱調理器本体から所定時間以上離れ、調理中であることや調理内容を忘れた場合でも、調理中であることや調理内容を報知してくれるため、電源を消し忘れたり、調理を失敗したりすることが防止されるため、使い勝手が向上している。
しかしながら、ユーザー（調理者）が近づいたことを感知する人体感知センサー（以下「人感センサー」と称す）が、調理器本体の前面に設置され、感知範囲（円錐形または楕円錐形の頂角に相当する）が固定された比較的狭いものであるため、感知範囲を拡大しようとすると、人感センサー自体が高価になるという問題があり、一方、複数の人感センサーによって実質的に感知範囲を拡大しようとすると、部品点数の増加により、加熱調理器（人感センサー分）のコストが高くなるという問題があった。
一方、ユーザー（調理者）以外の者が、感知範囲内でありながら、特定の範囲を頻繁に通過するような場合には、かかる通過するだけの者を感知しないようにしたいという要請に応えることができなかった。
【０００５】
本発明は、前記のような問題を解決するためになされたものであり、従来の人感センサーを用いてコストを抑えながら、ユーザー（調理者）が近づいたことを効果的に感知することができる加熱調理器を提供することを第１の目的とする。また、特定の範囲については、人体を感知しないようにすることができる加熱調理器を提供することを第２の目的とする。
【課題を解決するための手段】
【０００６】
本発明に係る加熱調理器は、被調理物を加熱する加熱源と、該加熱源を収容する函状の本体と、該本体の正面に設置される人体感知装置と、音声または光によって報知する報知装置と、前記人体感知装置の感知する情報に基づき前記報知装置に前記加熱源または前記本体の状態の情報を報知させる制御装置と、を有し、前記人体感知装置は、前記本体の正面に設置された装置基板と、該装置基板に傾動自在に設置された傾動板と、該傾動板に設置された人体感知センサーと、該傾動板に傾動自在に設置され、前記人体感知センサーを覆うレンズと、を具備する。
【発明の効果】
【０００７】
本発明は、感知する方向を変更することができる人体感知装置を有するから、感知範囲を拡大した特別の人感センサーや、複数の人感センサーを用いることなく、設置場所やユーザーの体格等に応じて感知する方向を変更することができるから、安価に利便性を向上することができる。
【図面の簡単な説明】
【０００８】
【図１】本発明の実施の形態１に係る加熱調理器の本体を示す斜視図。
【図２】図１に示す加熱調理器の一部の記載を省略した本体を示す斜視図。
【図３】図１に示す加熱調理器の人体感知装置を示す平面視の断面図および感知範囲を示す平面図。
【図４】図１に示す加熱調理器の人体感知装置を示す平面視の断面図および感知範囲を示す平面図。
【図５】図１に示す加熱調理器の人体感知装置を示す平面視の断面図および感知範囲を示す平面図。
【図６】図１に示す加熱調理器の人体感知装置の変形例を示す平面視の断面図。
【図７】図１に示す加熱調理器の人体感知装置の変形例を示す平面視の断面図。
【図８】図１に示す加熱調理器の操作表示部を示す平面図。
【図９】図１に示す加熱調理器の操作表示部を示す平面図。
【図１０】本発明の実施の形態２に係る加熱調理器の人体感知装置を示す平面視の断面図。
【図１１】本発明の実施の形態２に係る加熱調理器の感知範囲を示す平面図。
【図１２】本発明の実施の形態３に係る加熱調理器の人体感知装置を示す平面視の断面図および赤外線マスクを示す平面視の断面図。
【図１３】図１２に示す加熱調理器の赤外線マスクの変形例を示す平面視の断面図。
【図１４】本発明の実施の形態４に係る加熱調理器の人体感知装置を示す平面視の断面図および赤外線マスクの変形例を示す平面視の断面図。
【発明を実施するための形態】
【０００９】
［実施の形態１］
図１〜図９は、本発明の実施の形態１に係る加熱調理器を説明するもので、図１は本体を示す斜視図、図２は一部の記載を省略した本体を示す斜視図、図３乃至図５の（ａ）は一部（人体感知装置）を示す平面視の断面図、図３乃至図５の（ｂ）は機能（感知範囲）を示す平面図、図６および図７は一部（人体感知装置）の変形例を示す平面視の断面図、図８および図９は一部（操作表示部）を示す平面図である。なお、各図において同じ部分または相当する部分には同じ符号を付し、一部の説明を省略する。また、各図は、模式的に描かれたものであって、本発明はかかる形態に限定されるものではない。
【００１０】
（加熱調理器）
図１および図２において、加熱調理器１は、上面に本体開口部（図示しない）が形成された本体１０と、本体開口部の周囲に形成された上面フランジ１１と、本体開口部に設置されたトッププレート１２と、トッププレート１２の下方に配置された加熱コイル２１ａ、２１ｂ（図１および図２においてトッププレート１２を透視して破線にて示す）と、電気ヒータ２２（図１および図２においてトッププレート１２を透視して破線にて示す）と、本体１０内に設置されたロースター（グリルに同じ）２３とを有している。以下、説明の便宜上、加熱コイル２１ａ、２１ｂ、電気ヒータ２２およびロースター２３をまとめて「加熱源２０」と称す場合がある。
【００１１】
トッププレート１２の後面寄りには、本体吸気口１３と本体排気口１４が形成され、本体１０内に設置された図示しないファンによって、本体吸気口１３から吸引された空気が、本体１０内の機器（加熱コイル２１ａ、２１ｂや加熱源２０を制御する制御装置（図示しない）等）を冷却して本体排気口１４から排出される風路（図示しない）が形成される。また、本体吸気口１３および本体排気口１４は、それぞれ網状の吸気口カバー１３ａおよび排気口カバー１４ａによって覆われている。
トッププレート１２の前面寄りには、加熱源２０の起動／停止や調理条件を設定する操作部３１と、設定された調理条件や実行中の調理の状況を表示する表示部３２とが設けられている。なお、操作部３１や表示部３２の形態は限定されるものではない。以下、操作部３１と表示部３２とをまとめて「操作表示部３０」と称す。
【００１２】
図２において、本体１０の前面（以下「本体正面」と称す）１５には、幅方向の一方側に前面開口部１６が形成され、前面開口部１６にロースター２３が配置されている（前面開口部１６がロースター２３の前面側の開口部を形成している）。
また、本体正面１５の幅方向の他方側に人体感知装置５０を構成する装置基板５２と、音声報知装置４０とが設置されている。そして、装置基板５２には、レンズ５３と調整ネジ５４とが設置されている（これについては別途詳細に説明する）。
【００１３】
図１において、装置基板５２および音声報知装置４０を覆うように、本体パネル１７が本体正面１５に設置されている。本体パネル１７には、装置基板５２に対応した位置に、人体感知装置５０を構成する装置カバー５１が設置され、音声報知装置４０に対応した位置には、報知装置カバー４１が設置されている。
また、ロースター２３の前面の開口部（前面開口部１６に同じ）には、該開口部を開閉するロースター扉２４が配置され、ロースター扉２４がロースター２３の前面の開口部を閉じた際、ロースター扉２４の前面側の面と本体パネル１７の前面側の面とは滑らかに繋がっている。
【００１４】
（人体感知装置−その１）
図３の（ａ）において、人体感知装置５０は、本体正面１５に設置された装置基板５２に基板開口部５２ａが形成され、装置基板５２の後面側の面に支持腕５５が設置され、支持腕５５の先端に支持部５６が設けられ、支持部５６に傾動板５７が傾動自在に設置されている。
また、傾動板５７の支持部５６に対向する位置に、調整ネジ５４の先端が接続され、調整ネジ５４は装置基板５２に形成されたネジ孔５２ｂに螺合している。したがって、調整ネジ５４を回転すると、調整ネジ５４は進退するから、傾動板５７は支持部５６を中心にして傾動する。
なお、本発明は、調整ネジ５４の先端が傾動板５７に接続されたものに限定するものではなく、傾動板５７を装置基板５２の方向に付勢する（引きつける）付勢手段を設置して、調整ネジ５４の先端は傾動板５７に当接する（押し付けられる）ようにしてもよい。
【００１５】
そして、傾動板５７には、所定の感知範囲を有する人体感知装置（以下「人感センサー」と称す）５８が設置され、人感センサー５８はレンズ５３によって覆われている。
レンズ５３は、曲面状のレンズ面５３ａと、レンズ面５３ａの周囲から凹面側に形成されたレンズ筒５３ｂと、レンズ筒５３ｂの端部に形成され一対のレンズ係止突起５３ｃとを有している。レンズ係止突起５３ｃは、レンズ筒５３ｂを僅かに歪ませた際、傾動板５７に形成された一対の貫通孔５７ａを貫通し、レンズ筒５３ｂの歪みを開放した際、レンズ係止突起５３ｃに形成されたレンズ係止顎５３ｄが、傾動板５７の後面側の面に係止する（このとき、レンズ筒５３ｂの端部は傾動板５７の前面側の面に当接している）。
また、レンズ５３を覆うように、本体パネル１７に形成された本体感知孔１７ａには装置カバー５１が設置されている。
なお、以下の説明の便宜上、レンズ面５３ａの光軸を「光軸５９」と称し、本体パネル１７の前面側の面の法線（本体正面１５の前面側の面の法線に同じ）を「法線１８」と称す。すなわち、図３（ａ）において、傾動板５７は装置基板５２に平行（本体正面１５に平行）で、光軸５９と法線１８とは平行になっている。また、人感センサー５８は光軸５９上にある。
【００１６】
（感知範囲）
図３の（ｂ）において、図３（ａ）に示す姿勢において、光軸５９と法線１８とが平行の場合、人体感知装置５０の平面視の中央感知範囲θは、法線１８に対し左右方向で同じ角度である角度α１および角度β１（α１＝β１）に振り分けられ、左右に同じ角度である死角γ１および死角δ１が形成されている（γ１＝δ１）。したがって、ユーザーが本体１０に対して左右方向（本体１０の幅方向）の何れの方向から本体１０に近づいても、同じように感知されることになる。
【００１７】
図４の（ａ）において、調整ネジ５４は、加熱調理器１をキッチンに設置する際に、ねじ込まれ、傾動板５７との当接部を後面側に押し込んでいる。すなわち、傾動板５７は装置基板５２に対して傾斜し、光軸５９と法線１８とは所定の角度（以下「傾動角度」と称す）φ２を形成している。傾動角度φ２は、加熱調理器１の設置状態やユーザーの体格等によって適宜決定されるものである。
図４の（ｂ）において、図４（ａ）に示す姿勢の場合、平面視の右感知範囲θは、法線１８に対し左側にα２に、右側にα２よりも大きい角度β２（α２＜β２）に振り分けられている。
すなわち、図３の（ａ）に示す場合に比較して、左側の視野が縮小され（α２＜α１）、右側の視野が拡大している（β２＞β１）。したがって、左側には、図３の（ａ）に示す形態よりも大きな死角γ２（γ２＞γ１）が形成されることになるものの、例えば、加熱調理器１の左側にキッチンの壁面がある場合等、ユーザーが死角γ２内に居ることが殆どないから、かかる拡大した死角γ２は問題になることがなく、右側の拡大した視野（β２）によって、キッチンの広い範囲からのユーザーの近接がより確実に感知されることになる。
【００１８】
図５の（ａ）において、調整ネジ５４は、加熱調理器１をキッチンに設置する際に、ねじ戻され、傾動板５７との当接部を前面側に引き戻している。すなわち、傾動板５７は装置基板５２に対して傾斜し、光軸５９と法線１８とは傾動角度φ３を形成している。
図５の（ｂ）において、平面視の左感知範囲θは、法線１８に対し左側にα３に、右側にα３よりも小さい角度β３（α３＞β３）に振り分けられている。すなわち、図５（ａ）に示す形態とは反対に、図３の（ｂ）に示す場合に比較して、左側の視野が拡大（α３＞α１）、右側の視野が縮小している（β３＜β１）。したがって、右側には、図３の（ａ）に示す形態よりも大きな死角δ３（δ３＞δ１）が形成されることになるものの、例えば、加熱調理器１の右側にキッチンの壁面がある場合等、ユーザーが死角δ３内に居ることが殆どないから、かかる拡大した死角δ３は問題になることがなく、左側の拡大した視野（α３）によって、キッチンの広い範囲からのユーザーの近接がより確実に感知されることになる。
【００１９】
（人体感知装置−その２）
図６において、人体感知装置６０は、人体感知装置５０における傾動板５７を傾動不能にして、レンズ５３自体を傾動自在にしたものに相当するから、人体感知装置５０と同じ部分または相当する部分には同じ符号を付し、一部の説明を省略する。
人体感知装置６０は、装置基板５２に基板開口部５２ａが形成され、装置基板５２の後面側の面に固定板６７が設置されている。
固定板６７には、後面側に突出した支持腕６５が設置され、支持腕６５の先端に支持部６６が設けられている。また、固定板６７の支持腕６５に対向してネジ孔６７ｂが形成され、支持腕６５とネジ孔６７ｂとの間に一対の貫通孔６７ａが形成され、ネジ孔６７ｂには、調整ネジ６４が螺合している。
【００２０】
レンズ６３は、曲面状のレンズ面６３ａと、レンズ面６３ａの周囲から凹面側に形成されたレンズ筒６３ｂと、レンズ筒６３ｂの端部に形成され一対のレンズ係止突起６３ｃと、一対のレンズ係止突起６３ｃのそれぞれの先端から互いに遠ざかる方向に向かって形成されたレンズ腕６３ｄとを有している。
レンズ係止突起５３ｃは、固定板６７に形成された一対の貫通孔６７ａを貫通し、一方のレンズ腕６３ｄは固定板６７の支持部６６に傾動自在に設置され、他方のレンズ腕６３ｄは調整ネジ６４の先端に接続されている。
したがって、調整ネジ６４を回転して、調整ネジ６４を進退させることによって、レンズ６３を支持部６６を中心にして傾動させることができる。
なお、人体感知装置５０と同様に、レンズ６３を覆うように、本体パネル１７に形成された本体感知孔１７ａには装置カバー５１が設置されている。
したがって、人体感知装置５０と同様の作用効果を得ることができる（図５参照）。
【００２１】
（人体感知装置−その３）
図７において、人体感知装置７０は、人体感知装置５０における傾動板５７に、人体感知装置６０における傾動自在なレンズ６３を設置したものに相当するから、人体感知装置５０または人体感知装置６０と同じ部分または相当する部分には同じ符号を付し、一部の説明を省略する。
人体感知装置７０は、装置基板５２に基板開口部５２ａが形成され、基板開口部５２ａを挟む左右方向（幅方向）に支持腕５５とネジ孔５２ｂが配置されている。そして、支持腕５５の先端に形成された支持部５６に傾動板７７が傾動自在に設置されている。したがって、調整ネジ５４を回転すると、調整ネジ５４は進退するから、傾動板７７は支持部５６を中心にして傾動する。
【００２２】
傾動板７７には、後面側に突出した支持腕７５が設置され、支持腕７５の先端に支持部７６が設けられている。また、傾動板７７の支持腕７５に対向してネジ孔７７ｂが形成され、支持腕７５とネジ孔７７ｂとの間に一対の貫通孔７７ａが形成され、ネジ孔７７ｂには、調整ネジ７４が螺合している。
したがって、調整ネジ７４を回転すると、調整ネジ７４は進退するから、レンズ６３は支持部７６を中心にして傾動する。
【００２３】
なお、図７に示す断面図では、装置基板５２の支持部５６とネジ孔５２ｂとを含む面（その一部を右下がりの斜線にて示す）と、傾動板７７の支持部７６とネジ孔７７ｂとを含む面（その一部を左下がりの斜線にて示す）とが同一面に描かれているが、平面視において、それぞれの面は互いに直交している。
すなわち、装置基板５２の支持部５６とネジ孔５２ｂとを含む面は水平面であり、傾動板７７の支持部７６とネジ孔７７ｂとを含む面は鉛直面であるから、人体感知装置７０は、調整ネジ５４を回転することによって、左右方向（水平方向）の感知範囲を変更することができるだけでなく、調整ネジ７４を回転することによって、高さ方向（鉛直方向）の感知範囲も変更することができる。
【００２４】
（表示部）
図８の（ａ）において、操作表示部３０には、人体感知装置７０の感知範囲を報知するセンサー表示部３３が追設されている。このとき、センサー表示部３３には、左右にそれぞれ等しい角度である「５０°」と、上下にそれぞれ等しい角度である「３０°」と、が文字表示されている（図３に示す形態に対応している）。したがって、ユーザーは感知範囲がどのように調整されているのかを知ることができ、利便性が向上する。
図８の（ｂ）において、センサー表示部３３には、前記文字表示に代えて、感知範囲が図形表示されている。したがって、ユーザーは感知範囲がどのように調整（設定）されているのかを、直感的に知ることができるから、利便性がさらに向上する。
【００２５】
図９の（ａ）および（ｂ）は、それぞれ図４に示す形態に対応したセンサー表示部３３の文字表示および図形表示の例である。
図９の（ｃ）および（ｄ）は、それぞれ図７に示す人体感知装置７０を使用して上下方向の感知範囲を調整した（下方向を広くした）ものに対応したセンサー表示部３３の文字表示および図形表示の例である（左右方向については図５に示す形態に準じる）。
なお、前記文字表示される数値や、図形表示される範囲は、感知範囲を調整（設定）する際、入力してもよいし、別途、レンズ５３等の傾動角度を感知する角度センサーを設置し、該角度センサーの感知結果を表示するようにしてもよい。
【００２６】
（音声報知装置）
音声報知装置４０は、制御装置により人体感知装置７０の感知する情報（人体感知装置７０の感知範囲にユーザーなどの人がいるか否かの情報）に基づき、加熱源２０の情報（加熱源２０が被調理物を加熱中か否か、または、調理内容等の情報）または本体１０の情報（例えば、トッププレート１０が高温となっているか否かの情報）を報知する。例えば、ユーザーが所定の時間の間、加熱調理器１の感知範囲の外に行き、所定の時間が経過したところで感知範囲内に戻ったとき、調理中であることを音声（例えば、「調理中です」と発声する）によって報知するものである。また、ユーザーが所定の時間の間、人体感知装置７０の感知範囲の外に行き、所定の時間が経過したところで感知範囲内に戻ったとき、トッププレート１０が高温であることを音声（例えば、「トッププレートが高温です。注意してください」と発声する）によって報知するものである。
したがって、調理中であることや調理内容を忘れた場合でも、調理中であることや調理内容を報知してくれるため、電源を消し忘れたり、調理を失敗したりすることが防止されるため、使い勝手が向上している。また、トッププレートが高温であることを報知してくれるため、使い勝手が向上する。
なお、音声報知装置４０に代えて、調理中であることを示すランプを設け、その明るさを増したり、それを点滅させたりしてもよい。
【００２７】
［実施の形態２］
図１０および図１１は、本発明の実施の形態２に係る加熱調理器の人体感知装置を説明するもので、図１０は一部（人体感知装置）を示す平面視の断面図、図２は機能（感知範囲）を示す平面図である。なお、実施の形態１と同じ部分または相当する部分には同じ符号を付し、一部の説明を省略する。また、各図は、模式的に描かれたものであって、本発明はかかる形態に限定されるものではない。
加熱調理器２は、感知範囲の大きさを変更するものであって、複数のレンズ８３を用意し、加熱調理器２をキッチンに設置する際に、加熱調理器２の設置条件やユーザーの体格等に応じて好適なものを選択して、選択したものを取り付けるものである。
【００２８】
（人体感知装置−その４）
図１０において、人体感知装置８０は加熱調理器２に取り付けられたものであって、装置基板５２に基板開口部５２ａが形成され、装置基板５２の後面側の面に固定板６７が設置されている。固定板６７には、一対の貫通孔６７ａが形成され、一対の貫通孔６７ａに人体感知装置８０を構成するレンズ８３が着脱自在に設置されている。
【００２９】
人体感知装置８０を構成するレンズ８３は、レンズ５３と同様の構成であって、曲面状のレンズ面５３ａと、レンズ面５３ａの周囲から凹面側に形成されたレンズ筒５３ｂと、レンズ筒５３ｂの端部に形成され一対のレンズ係止突起５３ｃとを有し、レンズ係止突起５３ｃは、レンズ筒５３ｂを僅かに歪ませた際、固定板６７に形成された一対の貫通孔６７ａを貫通し、レンズ筒５３ｂの歪みを開放した際、レンズ係止突起５３ｃに形成されたレンズ係止顎５３ｄが、固定板６７の後面側の面に係止する（このとき、レンズ筒５３ｂの端部は固定板６７の前面側の面に当接している）。
【００３０】
そして、レンズ８３は、人体感知装置５０を構成するレンズ５３（図３参照）と同じ構造であって、焦点距離が相違するレンズ面５３ａを具備する複数のレンズ５３を総称するものである。例えば、人体感知装置８０ａを構成するレンズ８３ａ（図示しない）は、焦点距離が短い（広角）のレンズ面５３ａを有し、人体感知装置８０ｂを構成するレンズ８３ｂ（図示しない）は、焦点距離が中程度（標準）のレンズ面５３ａを有し、人体感知装置８０ｃを構成するレンズ８３ｃ（図示しない）は、焦点距離が長い（望遠）のレンズ面５３ａを有している。
図１１の（ａ）、（ｂ）および（ｃ）は、それぞれ人体感知装置８０ａ、８０ｂおよび８０ｃの感知範囲を示すものであって、それぞれ角度θａ、θｂおよびθｃの感知範囲を有している。
【００３１】
以上のように、加熱調理器２は、人体感知装置８０を構成するレンズ８３のレンズ面５３ａとして、焦点距離の相違するものを複数用意し、適宜これらを選択して使用することによって、所望の感知範囲を有する人体感知装置８０を容易に得ることができる（人感センサー５８を変更する必要がない）。したがって、特定の範囲については、人体を感知しないようにすることが可能になる。
このとき、加熱調理器１（実施の形態１）におけるレンズ５３またはレンズ６３に代えて、レンズ８３を用いてもよい。そうすると、感知範囲の大きさを変更すると共に、感知範囲の方向（光軸５９の方向）を変更することが可能になるため、使い勝手がさらに向上する。なお、レンズ８３の種類は３種類に限定するものではない。
【００３２】
［実施の形態３］
図１２および図１３は、本発明の実施の形態３に係る加熱調理器を説明するもので、図１２の（ａ）は一部（人体感知装置）を示す平面視の断面図、図１２の（ｂ）は一部（赤外線マスク）を示す平面視の断面図、図１３の（ａ）および（ｂ）は一部（赤外線マスク）の変形例を示す平面視の断面図である。なお、各図において同じ部分または相当する部分には同じ符号を付し、一部の説明を省略する。また、各図は、模式的に描かれたものであって、本発明はかかる形態に限定されるものではない。
加熱調理器３は、人体感知装置９０を有するものであって、人体感知装置９０は感知範囲の大きさを変更するものである。人体感知装置９０は、それぞれに形成された赤外線透過孔９１ａの直径が相違する複数の赤外線マスク９１を用意し、加熱調理器３をキッチンに設置する際に、加熱調理器３の設置条件やユーザーの体格等に応じて好適なものを選択して、選択したものを取り付けるものである。
【００３３】
（人体感知装置−その５）
図１２の（ａ）および（ｂ）において、人体感知装置９０は、装置基板５２に基板開口部５２ａが形成され、装置基板５２の後面側の面に固定板６７が設置されている。固定板６７には、一対の貫通孔６７ａが形成され、一対の貫通孔６７ａにレンズ５３が着脱自在に設置されている（図３の（ａ）参照）。そして、赤外線透過孔９１ａが形成された赤外線マスク９１が、装置カバー５１に設置されている（貼り付けられている）。
【００３４】
すなわち、レンズ５３は、曲面状のレンズ面５３ａと、レンズ面５３ａの周囲から凹面側に形成されたレンズ筒５３ｂと、レンズ筒５３ｂの端部に形成され一対のレンズ係止突起５３ｃとを有し、レンズ係止突起５３ｃは、レンズ筒５３ｂを僅かに歪ませた際、固定板６７に形成された一対の貫通孔６７ａを貫通し、レンズ筒５３ｂの歪みを開放した際、レンズ係止突起５３ｃに形成されたレンズ係止顎５３ｄが、固定板６７の後面側の面に係止する（このとき、レンズ筒５３ｂの端部は固定板６７の前面側の面に当接している）。
【００３５】
赤外線マスク９１は、相違する大きさ（直径）を有する赤外線透過孔９１ａが形成された複数のマスクを総称するものである。なお、赤外線透過孔９１ａの大きさや位置は、限定されるものではない。
赤外線マスク９１は、光軸５９に一致した中心９１ｂを有する円である赤外線透過孔９１ａを有しているから、人体感知装置９０の平面視の感知範囲θ５は、光軸５９に対し左右方向で同じ角度である角度α５および角度β５（α５＝β５）に振り分けられている。
すなわち、赤外線マスク９１を設置することによって、感知範囲が狭くなっている（θ５＜θ、図３の（ｂ）参照）から、実施の形態２と同様の作用効果が得られる。
【００３６】
図１３の（ａ）に示す赤外線マスク９２は、図１２の（ｂ）に示す赤外線マスク９１の赤外線透過孔９１ａの直径よりも小さい直径で、光軸５９に一致した中心９２ｂを有する赤外線透過孔９２ａを有しているから、感知範囲は感知範囲θ５よりも狭くなっている（図示しない）。したがって、赤外線マスク９１または赤外線マスク９２を取り付けることによって、実施の形態２と同じ作用効果を得ることができる。
図１３の（ｂ）に示す赤外線マスク９３は、図１２の（ｂ）に示す赤外線マスク９１の赤外線透過孔９１ａの直径よりも大きな直径で、中心９３ｂが光軸５９に対して斜め右下に偏位した赤外線透過孔９３ａを有している。したがって、感知範囲は感知範囲θ５よりも大きく、しかも、感知範囲は、右側で下側が広くなっている（図示しない）。したがって、赤外線マスク９３を取り付けることによって、実施の形態１と実施の形態２のそれぞれの作用効果を合わせて効果を得ることができる。
【００３７】
以上のように、加熱調理器３は、人体感知装置９０を構成する赤外線マスク９１等として、赤外線透過孔９１ａ等の大きさが相違するものや、中心９１ｂが光軸５９から偏位したものを複数用意し、適宜これらを選択して使用することによって、所望の感知範囲を有する人体感知装置９０を容易に得ることできる（人感センサー５８を変更する必要がない）。したがって、特定の範囲については、人体を感知しないようにすることが可能になる。
さらに、加熱調理器１（実施の形態１）における人体感知装置５０の装置カバー５１に赤外線マスク９１または赤外線マスク９２を設置してもよい。そうすると、感知範囲の大きさを変更すると共に、感知範囲の方向（光軸５９の方向）を変更することが可能になるため、使い勝手がさらに向上する。
【００３８】
［実施の形態４］
図１４は、本発明の実施の形態４に係る加熱調理器を説明するもので、（ａ）は一部（人体感知装置）を示す平面視の断面図、（ｂ）および（ｃ）は一部（赤外線マスク）の変形例を示す平面視の断面図である。なお、実施の形態２と同じ部分または相当する部分には同じ符号を付し、一部の説明を省略する。また、各図は、模式的に描かれたものであって、本発明はかかる形態に限定されるものではない。
加熱調理器４は、感知範囲（広がり及び方向）を変更するものではなく、感知可能な距離（奥行き）を変更するものである。すなわち、前記した加熱調理器２（実施の形態２）が有する人体感知装置８０は、焦点距離が相違するレンズ面５３ａを具備する複数のレンズ８３を適宜選択して、選択されたレンズ８３を取り付けたものであるが、実施の形態４に係る加熱調理器４は、レンズ８３（レンズ５３に同じ）の選択に代えて、あるいはレンズ８３（レンズ５３に同じ）の選択に追加して、複数の装置カバー５１を準備して、装置カバー５１を適宜選択して、選択された装置カバー５１を取り付けるようにしたものである。
【００３９】
すなわち、加熱調理器４は、人体感知装置１００を有するものであって、人体感知装置１００は、厚さが相違する複数の装置カバー５１を用意し、加熱調理器４をキッチンに設置する際に、加熱調理器４の設置条件やユーザーの体格等に応じて好適なものを選択して、選択した装置カバー５１を取り付けるものである。
図１４の（ａ）は図１０に相当するものであって、所定の感知範囲を有するレンズ５３が取り付けられ、所定の厚さＴａのポリエステル製の装置カバー５１ａが設置されている。
【００４０】
図１４の（ｂ）に示す装置カバー５１ｂは、その厚さが厚さＴａよりも薄い厚さＴｂに変更されている（Ｔｂ＜Ｔａ）。すなわち、装置カバー５１ｂは装置カバー５１ａに比較して薄いため、赤外線の吸収量が少なくなるから、感度が鋭くなる。したがって、人体感知装置１００は、装置カバー５１ａに代えて装置カバー５１ｂを設置することによって、比較的遠くにある人体をより正確に感知することが可能になる。
図１４の（ｃ）に示す装置カバー５１ｃは、その厚さが厚さＴａよりも厚い厚さＴｃに変更されている（Ｔｃ＞Ｔａ）。すなわち、装置カバー５１ｂは装置カバー５１ａに比較して厚いため、赤外線の吸収量が多くなるから、感度が鈍くなる。したがって、人体感知装置１００は、装置カバー５１ａに代えて装置カバー５１ｃを設置することによって、遠くにある人体の感知性能が劣るため、比較的近くにいる人体をより正確に感知することが可能になる。
【００４１】
以上、人体感知装置１００は様々な厚さの装置カバー５１を用意し、そのうちの選択されたものを取り付けるようにしたものであるから、人体感知装置５０、６０、７０（実施の形態１）、人体感知装置８０（実施の形態２）および人体感知装置９０（実施の形態３）の何れに対しても、人体感知装置１００を適用することができる。すなわち、装置カバー５１を適宜選択して取り付けることによって、感知範囲の変更と共に、感知可能（検査容易）な奥行き（感知に好適な距離）を変更することが可能になる。
なお、以上は、厚さを変更することによって装置カバー５１の赤外線の吸収度合いを変更しているが、本発明はこれに限定するものではなく、例えば、装置カバー５１を形成する材質を変更したり、赤外線の吸収度合いが相違するフィルムを装置カバー５１に添付したりしてもよい。
【符号の説明】
【００４２】
１  加熱調理器（実施の形態１）、２  加熱調理器（実施の形態２）、３  加熱調理器（実施の形態３）、４  加熱調理器（実施の形態４）、１０  本体、１１  上面フランジ、１２  トッププレート、１３  本体吸気口、１３ａ  吸気口カバー、１４  本体排気口、１４ａ  排気口カバー、１５  本体正面、１６  前面開口部、１７  本体パネル、１７ａ  本体感知孔、１８  法線、２０  加熱源、２１ａ  加熱コイル、２１ｂ  加熱コイル、２２  電気ヒータ、２３  ロースター、２４  ロースター扉、３０  操作表示部、３１  操作部、３２  表示部、３３  センサー表示部、４０  音声報知装置、４１  報知装置カバー、５０  人体感知装置（実施の形態１）、５１  装置カバー、５１ａ  装置カバー（実施の形態４）、５１ｂ  装置カバー（実施の形態４）、５１ｃ  装置カバー（実施の形態４）、５２  装置基板、５２ａ  基板開口部、５２ｂ  ネジ孔、５３  レンズ、５３ａ  レンズ面、５３ｂ  レンズ筒、５３ｃ  レンズ係止突起、５３ｄ  レンズ係止顎、５４  調整ネジ、５５  支持腕、５６  支持部、５７  傾動板、５７ａ  貫通孔、５８  人感センサー、５９  光軸、６０  人体感知装置（実施の形態１）、６３  レンズ、６３ａ  レンズ面、６３ｂ  レンズ筒、６３ｃ  レンズ係止突起、６３ｄ  レンズ腕、６４  調整ネジ、６５  支持腕、６６  支持部、６７  固定板、６７ａ  貫通孔、６７ｂ  ネジ孔、７０  人体感知装置（実施の形態１）、７４  調整ネジ、７５  支持腕、７６  支持部、７７  傾動板、７７ａ  貫通孔、７７ｂ  ネジ孔、８０  人体感知装置（実施の形態２）、８０ａ  人体感知装置、８０ｂ  人体感知装置、８０ｃ  人体感知装置、８３  レンズ、８３ａ  レンズ、８３ｂ  レンズ、８３ｃ  レンズ、９０  人体感知装置（実施の形態３）、９１  赤外線マスク、９１ａ  赤外線透過孔、９１ｂ  中心、９２  赤外線マスク、９２ａ  赤外線透過孔、９２ｂ  中心、９３  赤外線マスク、９３ａ  赤外線透過孔、９３ｂ  中心、１００  人体感知装置（実施の形態４）。
【図１】
0005858823.tif 000002
【図２】
0005858823.tif 000003
【図３】
0005858823.tif 000004
【図４】
0005858823.tif 000005
【図５】
0005858823.tif 000006
【図６】
0005858823.tif 000007
【図７】
0005858823.tif 000008
【図８】
0005858823.tif 000009
【図９】
0005858823.tif 000010
【図１０】
0005858823.tif 000011
【図１１】
0005858823.tif 000012
【図１２】
0005858823.tif 000013
【図１３】
0005858823.tif 000014
【図１４】
0005858823.tif 000015